(57)【要約】【課題】スロットマシンが備えるボタン等の操作ユニットの設置スペースをさらに削減する。【解決手段】スロットマシンは、ベット数とライン数との組み合わせを示す複数の項目の中からいずれか１つを選択対象項目として提示する選択対象項目提示部と、複数の項目の中から選択対象項目提示部に提示させる前記選択対象項目を切り替える指示を受け付ける切替指示受付部と、選択対象項目として選択対象項目提示部に提示されている項目に対応するベット数およびライン数を遊技条件として設定する指示を受け付ける設定指示受付部とを備える。【選択図】図４
2014103989.tif 000002
【特許請求の範囲】
【請求項１】
ベット数とライン数との組み合わせを示す複数の項目の中からいずれか１つを選択対象項目として提示する選択対象項目提示部と、
前記複数の項目の中から前記選択対象項目提示部に提示させる前記選択対象項目を切り替える指示を受け付ける切替指示受付部と、
前記選択対象項目として前記選択対象項目提示部に提示されている項目に対応するベット数およびライン数を遊技条件として設定する指示を受け付ける設定指示受付部と
を備えるスロットマシン。
【請求項２】
前記選択対象項目提示部は、前記選択対象項目を示す選択対象項目オブジェクトを含む画像を表示することで、前記選択対象項目を提示し、
前記設定指示受付部は、押ボタンスイッチであり、
前記押ボタンスイッチは、前記選択対象項目オブジェクトの表示領域の上方に設けられ、前記選択対象項目オブジェクトを前記押ボタンスイッチの押下面から目視可能に透過する、請求項１に記載のスロットマシン。
【請求項３】
前記複数の項目は、それぞれ予め提示順番が関連付けられており、
前記切替指示受付部は、
前記複数の項目の中から前記選択対象項目提示部に提示させる前記選択対象項目を昇順に切り替える昇順切替指示を受け付ける昇順切替指示受付部と、
前記複数の項目の中から前記選択対象項目提示部に提示させる前記選択対象項目を降順に切り替える降順切替指示を受け付ける降順切替指示受付部と
を有する、請求項１または２に記載のスロットマシン。
【請求項４】
前記複数の項目は、それぞれ予め提示順番が関連付けられており、
前記切替指示受付部は、
前記複数の項目の中から前記選択対象項目提示部に提示させる前記選択対象項目を昇順に切り替える昇順切替指示を受け付ける昇順切替指示受付用の押ボタンスイッチと、
前記複数の項目の中から前記選択対象項目提示部に提示させる前記選択対象項目を降順に切り替える降順切替指示を受け付ける降順切替指示受付用の押ボタンスイッチと
を有し、
前記スロットマシンは、
前記昇順切替指示を示す昇順オブジェクトを含む画像を表示する昇順オブジェクト表示部と、
前記降順切替指示を示す降順オブジェクトを含む画像を表示する降順オブジェクト表示部と
をさらに備え、
前記昇順切替指示受付用の前記押ボタンスイッチは、前記昇順オブジェクトの表示領域の上方に設けられ、前記昇順オブジェクトを前記昇順切替指示受付用の前記押ボタンスイッチの押下面から目視可能に透過し、
前記降順切替指示受付用の前記押ボタンスイッチは、前記降順オブジェクトの表示領域の上方に設けられ、前記降順オブジェクトを前記降順切替指示受付用の前記押ボタンスイッチの押下面から目視可能に透過する、請求項２に記載のスロットマシン。
【請求項５】
前記設定指示受付部である前記押ボタンスイッチは、前記昇順切替指示受付用の前記押ボタンスイッチと、前記降順切替指示受付用の前記押ボタンスイッチとの間に設けられる、請求項４に記載のスロットマシン。
【請求項６】
前記選択対象項目提示部、前記昇順オブジェクト表示部、および前記降順オブジェクト表示部は、１つの表示ユニットから構成され、
前記表示ユニットは、前記選択対象項目オブジェクト、前記昇順オブジェクトおよび前記降順オブジェクトを含む画像を表示する、請求項４または請求項５に記載のスロットマシン。
【発明の詳細な説明】
【技術分野】
【０００１】
本発明は、スロットマシンに関する。
【背景技術】
【０００２】
特許文献１には、液晶表示装置に表示するゲーム操作に必要な文字、図柄、ベット数、またはライン数をソフトプログラムにより変更する操作液晶ボタンが開示されている。このような操作液晶ボタンによれば、液晶ボタンに割り当てる操作内容を変更できるので、液晶ボタンの数を減らし、液晶ボタンの設置スペースを削減できる。
特許文献１  特開２００８−５４６９６号公報
【発明の概要】
【発明が解決しようとする課題】
【０００３】
しかしながら、スロットマシンが備えるボタン等の操作ユニットの設置スペースをさらに削減することが望まれている。
【課題を解決するための手段】
【０００４】
本発明に係るスロットマシンは、ベット数とライン数との組み合わせを示す複数の項目の中からいずれか１つを選択対象項目として提示する選択対象項目提示部と、複数の項目の中から選択対象項目提示部に提示させる選択対象項目を切り替える指示を受け付ける切替指示受付部と、選択対象項目として選択対象項目提示部に提示されている項目に対応するベット数およびライン数を遊技条件として設定する指示を受け付ける設定指示受付部とを備える。
【０００５】
上記スロットマシンにおいて、選択対象項目提示部は、選択対象項目を示す選択対象項目オブジェクトを含む画像を表示することで、選択対象項目を提示し、設定指示受付部は、押ボタンスイッチであり、押ボタンスイッチは、選択対象項目オブジェクトの表示領域の上方に設けられ、選択対象項目オブジェクトを押ボタンスイッチの押下面から目視可能に透過してもよい。
【０００６】
上記スロットマシンにおいて、複数の項目は、それぞれ予め提示順番が関連付けられており、切替指示受付部は、複数の項目の中から選択対象項目提示部に提示させる選択対象項目を昇順に切り替える昇順切替指示を受け付ける昇順切替指示受付部と、複数の項目の中から選択対象項目提示部に提示させる選択対象項目を降順に切り替える降順切替指示を受け付ける降順切替指示受付部とを有してもよい。
【０００７】
上記スロットマシンにおいて、複数の項目は、それぞれ予め提示順番が関連付けられており、切替指示受付部は、複数の項目の中から選択対象項目提示部に提示させる選択対象項目を昇順に切り替える昇順切替指示を受け付ける昇順切替指示受付用の押ボタンスイッチと、複数の項目の中から選択対象項目提示部に提示させる選択対象項目を降順に切り替える降順切替指示を受け付ける降順切替指示受付用の押ボタンスイッチとを有し、スロットマシンは、昇順切替指示を示す昇順オブジェクトを含む画像を表示する昇順オブジェクト表示部と、降順切替指示を示す降順オブジェクトを含む画像を表示する降順オブジェクト表示部とをさらに備え、昇順切替指示受付用の押ボタンスイッチは、昇順オブジェクトの表示領域の上方に設けられ、昇順オブジェクトを昇順切替指示受付用の押ボタンスイッチの押下面から目視可能に透過し、降順切替指示受付用の押ボタンスイッチは、降順オブジェクトの表示領域の上方に設けられ、降順オブジェクトを降順切替指示受付用の押ボタンスイッチの押下面から目視可能に透過してもよい。
【０００８】
上記スロットマシンにおいて、設定指示受付部である押ボタンスイッチは、昇順切替指示受付用の押ボタンスイッチと、降順切替指示受付用の押ボタンスイッチとの間に設けられてもよい。
【０００９】
上記スロットマシンにおいて、選択対象項目提示部、昇順オブジェクト表示部、および降順オブジェクト表示部は、１つの表示ユニットから構成され、表示ユニットは、選択対象項目オブジェクト、昇順オブジェクトおよび降順オブジェクトを含む画像を表示してもよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】本実施形態に係るスロットマシンの外観斜視図の一例である。
【図２】操作ユニットの機能ブロックを示す図である。
【図３】操作ユニットの外観斜視図である。
【図４】押ボタンスイッチの押下面から目視可能に透過されるオブジェクトの一例を示す図である。
【図５】スロットマシンの表示部に表示される画像の一例を示す図である。
【図６】押ボタンスイッチの押下面から目視可能に透過されるオブジェクトの他の一例を示す図である。
【図７】スロットマシンの表示部に表示される画像の他の一例を示す図である。
【図８】操作ユニットの分解斜視図である。
【図９】操作ユニットの一部分を断面で示した斜視図である。
【図１０】押ボタンスイッチの外観斜視図である。
【図１１】ゴムシートの外観斜視図である。
【図１２】基板の外観斜視図である。
【図１３】分光壁の外観斜視図である。
【図１４】拡散回転体の外観斜視図である。
【図１５】ギアの外観斜視図である。
【図１６】操作ユニットの操作面の正面図である。
【図１７】図１１に示すＡ−Ａ断面図である。
【図１８】図１１に示すＢ−Ｂ断面図である。
【図１９】図１１に示すＣ−Ｃ断面図である。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、本実施形態に係るスロットマシン１０の外観斜視図の一例である。スロットマシン１０は、本体１２、表示部１４、および操作ユニット１００を備える。スロットマシン１０は、遊技機の一例であり、操作ユニット１００は、回胴式遊技機などの他の遊技機に搭載することができる。
【００１４】
表示部１４は、複数種類の図柄を示す複数のリール、図柄の組み合わせを規定する入賞ライン、および入賞ラインに対する掛け金を示すベット数を含む遊技画像を表示する。表示部１４は、遊技機本来の遊技とは別に、遊技中に予め定められた条件で開始されるいわゆるミニゲームに関する画像を表示してもよい。
【００１５】
図２は、操作ユニット１００の機能ブロックを示す図である。操作ユニット１００は、表示ユニット１６０、表示制御部４００、画像保持部４０８、切替指示受付部４２０、および設定指示受付部４２６を備える。
【００１６】
画像保持部４０８は、表示ユニット１６０に表示させる画像を保持する。表示制御部４００は、表示ユニット１６０の表示を制御する。
【００１７】
表示ユニット１６０は、選択対象項目提示部４０２、昇順オブジェクト表示部４０４、および降順オブジェクト表示部４０６を有する。選択対象項目提示部４０２は、掛け金を示すベット数と入賞ラインの数を示すライン数との組み合わせを示す複数の項目の中からいずれか１つを選択対象項目として遊技者に提示する。選択対象項目提示部４０２は、選択対象項目を示す選択対象項目オブジェクトを含む画像を表示することで、選択対象項目を遊技者に提示してもよい。複数の項目は、それぞれ予め提示順番が関連付けられている。
【００１８】
切替指示受付部４２０は、複数の項目の中から選択対象項目提示部４０２に提示させる選択対象項目を切り替える指示を遊技者から受け付ける。切替指示受付部４２０は、昇順切替指示受付部４２２および降順切替指示受付部４２４を有する。昇順切替指示受付部４２２は、複数の項目の中から選択対象項目提示部４０２に提示させる選択対象項目を昇順に切り替える昇順切替指示を遊技者から受け付ける。降順切替指示受付部４２４は、複数の項目の中から選択対象項目提示部４０２に提示させる選択対象項目を降順に切り替える降順切替指示を遊技者から受け付ける。
【００１９】
昇順切替指示受付部４２２は、複数の項目の中から選択対象項目提示部４０２に提示させる選択対象項目を昇順に切り替える昇順切替指示を受け付ける昇順切替指示受付用の押ボタンスイッチでもよい。また、降順切替指示受付部４２４は、複数の項目の中から選択対象項目提示部４０２に提示させる選択対象項目を降順に切り替える降順切替指示を受け付ける降順切替指示受付用の押ボタンスイッチでもよい。
【００２０】
表示ユニット１６０は、昇順オブジェクト表示部４０４および降順オブジェクト表示部４０６をさらに有する。昇順オブジェクト表示部４０４は、昇順切替指示を示す昇順オブジェクトを含む画像を表示する。降順オブジェクト表示部４０６は、降順切替指示を示す降順オブジェクトを含む画像を表示する。
【００２１】
昇順切替指示受付用の押ボタンスイッチは、昇順オブジェクトの表示領域の上方に設けられ、昇順オブジェクトを昇順切替指示受付用の押ボタンスイッチの押下面から目視可能に透過してもよい。また、降順切替指示受付用の押ボタンスイッチは、降順オブジェクトの表示領域の上方に設けられ、降順オブジェクトを降順切替指示受付用の押ボタンスイッチの押下面から目視可能に透過してもよい。
【００２２】
設定指示受付部４２６は、選択対象項目として選択対象項目提示部４０２に提示されている項目に対応するベット数およびライン数を遊技条件として設定する指示を遊技者から受け付ける。設定指示受付部４２６は、押ボタンスイッチでもよい。押ボタンスイッチは、選択対象項目オブジェクトの表示領域の上方に設けられ、選択対象項目オブジェクトを押ボタンスイッチの押下面から目視可能に透過してもよい。
【００２３】
図３は、操作ユニット１００の外観斜視図の一例である。操作ユニット１００は、押ボタンスイッチ１１０、押ボタンスイッチセット１２０を備える。押ボタンスイッチセット１２０は、Ｘ軸方向において押ボタンスイッチ１１０に隣接して配置される。押ボタンスイッチセット１２０は、押ボタンスイッチ１２２、押ボタンスイッチ１２４および押ボタンスイッチ１２６を含む。押ボタンスイッチ１２２、押ボタンスイッチ１２４および押ボタンスイッチ１２６は、Ｙ軸方向に沿って一列に配置される。押ボタンスイッチ１２２は、押ボタンスイッチ１２４と押ボタンスイッチ１２６との間に配置される。
【００２４】
押ボタンスイッチ１１０は、例えば、リールの回転の指示を出力する押下面が円形の押ボタンスイッチである。押ボタンスイッチ１２２は、設定指示受付部４２６の一例であり、例えば、複数の項目の中から提示された１つの選択対象項目に対応する指示を遊技者から受け付ける、押下面が矩形の押ボタンスイッチである。押ボタンスイッチ１２４は、昇順切替指示受付用の押ボタンスイッチの一例であり、予め提示順番が関連付けられている複数の項目の中から、選択対象項目として提示する項目を昇順に切り替える指示を出力する、押下面が三角形の押ボタンスイッチである。押ボタンスイッチ１２６は、降順切替指示受付用の押ボタンスイッチの一例であり、予め提示順番が関連付けられている複数の項目の中から、選択対象項目として提示する項目を降順に切り替える指示を出力する、押下面が三角形の押ボタンスイッチである。
【００２５】
図４は、押ボタンスイッチ１１０、押ボタンスイッチ１２２、押ボタンスイッチ１２４および押ボタンスイッチ１２６の押下面から目視可能に透過されるオブジェクトの一例を示す。
【００２６】
表示ユニット１６０は、押ボタンスイッチ１１０の押下面に対応する位置に、リールの回転の指示を示す「ＳＰＩＮ」という文字を含むオブジェクトを含む操作画像を表示する。選択対象項目提示部４０２として機能する表示ユニット１６０は、押ボタンスイッチ１２２の押下面に対応する位置に、掛け金を示すベット数と入賞ラインのライン数との組み合わせを示す複数の項目の中からいずれか１つを選択対象項目として提示すべき、選択対象項目オブジェクトをさらに含む操作画像を表示する。なお、表示ユニット１６０が表示するライン数とベット数との組み合わせを示すオブジェクトは、ライン数とベット数との組み合わせごとに予めメモリに記憶しておく。掛け金を示すベット数と入賞ラインのライン数との組み合わせを示す複数の項目は、それぞれ予め提示順番が関連付けられている。
【００２７】
押ボタンスイッチ１２２が押下された場合、選択対象項目オブジェクトとして、押ボタンスイッチ１２２の押下面に対応する位置に表示されているベット数およびライン数の組み合わせが遊技条件として設定され、遊技が実行される。
【００２８】
昇順オブジェクト表示部４０４として機能する表示ユニット１６０は、押ボタンスイッチ１２４の押下面に対応する位置に、選択対象項目オブジェクトを昇順に切り替えることを示す「ＵＰ」という文字を含む昇順オブジェクトをさらに含む操作画像を表示する。加えて、降順オブジェクト表示部４０６として機能する表示ユニット１６０は、押ボタンスイッチ１２６の押下面に対応する位置に、選択対象項目オブジェクトを降順に切り替えることを示す「ＤＯＷＮ」という文字を含む降順オブェクトをさらに含む操作画像を表示する。
【００２９】
上記の通り、ライン数とベット数との組み合わせを一つの押ボタンスイッチに割り当てることにより、ライン数を設定するための押ボタンスイッチおよびベット数を設定するための押ボタンスイッチをそれぞれ個別に設ける場合に比べて、押ボタンスイッチの数を減らすことができる。また、押ボタンスイッチに割り当てられるライン数とベット数との組み合わせを、押ボタンスイッチにより切り替えることにより、ライン数とベット数との組み合わせごとに押ボタンスイッチを個別に設ける場合に比べて、押ボタンスイッチの数を減らすことができる。これにより、押ボタンスイッチの設置スペースを大幅に削減することができる。
【００３０】
操作ボタン等を追加するスペースが少ない場合、例えば、スロットマシンのメイン画面である表示部１４をタッチパネルディスプレイで構成し、表示部１４を新たな機能の操作ユニットとして機能させることが考えられる。しかし、遊技者の中には、スロットマシンのメイン画面である表示部１４まで手が届かない、またはタッチパネルディスプレイによるタッチ操作を億劫に感じる遊技者もいる。本実施形態に係る操作ユニット１００は、比較的狭いスペースに設置できるので、スロットマシン１０の本体１２に元々設けられている操作盤に操作ユニット１００を設置することが容易である。よって、上記のようなタッチパネルディスプレイを好まない遊技者にとっても、操作しやすい場所に、複数の操作機能を集約した操作ユニット１００を容易に設置することができる。
【００３１】
図５は、スロットマシン１０の本体１２に設けられる表示部１４に表示される画像３００の一例を示す。画像３００は、複数の図柄を示すリール３０２、設定されている入賞ライン３０４、設定されているベット数３０６、押ボタンスイッチ１２４によりライン数とベット数との組み合わせが昇順に切り替えられた場合に次に表示されるベット数を示す昇順側のベット数３０７、および押ボタンスイッチ１２６によりライン数とベット数との組み合わせが降順に切り替えられた場合に次に表示されるベット数を示す降順側のベット数３０８を含む。
【００３２】
押ボタンスイッチ１２４または押ボタンスイッチ１２６により、選択対象項目として提示されるライン数とベット数との組み合わせが切り替えられるごとに、画像３００に表示される入賞ライン３０４のライン、ベット数３０６，３０７，および３０８のベット数が切り替えられる。
【００３３】
図６は、押ボタンスイッチ１１０、押ボタンスイッチ１２２、押ボタンスイッチ１２４および押ボタンスイッチ１２６の押下面から目視可能に透過されるオブジェクトの他の一例を示す。
【００３４】
表示ユニット１６０は、押ボタンスイッチ１２２の押下面に対応する位置に、遊技中に予め定められた条件で選択可能な複数のミニゲームに対応する複数の項目の中から、いずれか１つのミニゲームに対応する項目を選択対象項目オブジェクトとして含む操作画像を表示してもよい。選択可能な複数のミニゲームに対応する複数の項目は、それぞれ予め提示順番が関連付けられている。
【００３５】
昇順オブジェクト表示部４０４として機能する表示ユニット１６０は、押ボタンスイッチ１２４の押下面に対応する位置に、選択対象項目オブジェクトを昇順に切り替えることを示す「ＵＰ」という文字を含む昇順オブジェクトをさらに含む操作画像を表示する。加えて、降順オブジェクト表示部４０６として機能する表示ユニット１６０は、押ボタンスイッチ１２６の押下面に対応する位置に、選択対象項目オブジェクトを降順に切り替えることを示す「ＤＯＷＮ」という文字を含む降順オブェクトをさらに含む操作画像を表示する。
【００３６】
表示ユニット１６０は、押ボタンスイッチ１１０の押下面に対応する位置に、選択対象項目オブジェクトに対応するミニゲームを選択する指示を示す「ＳＥＬＥＣＴ」という文字を含むオブジェクトをさらに含む操作画像を表示する。押ボタンスイッチ１１０が押下された場合、押ボタンスイッチ１２２の押下面に対応する位置に表示される選択対象項目オブジェクトに対応するミニゲームが開始される。なお、押ボタンスイッチ１２２が押下された場合に、押ボタンスイッチ１２２の押下面に対応する位置に表示される選択対象項目オブジェクトに対応するミニゲームが開始されてもよい。
【００３７】
図７は、操作ユニット１００を介してミニゲームを選択する場合に、スロットマシン１０の本体１２に設けられる表示部１４に表示される画像５００の他の一例を示す。表示部１４には、選択対象項目として表示されるミニゲームの種類を示すオブジェクト５０２、押ボタンスイッチ１２４が押下された場合に選択対象項目として次に表示されるミニゲームの種類を示すオブジェクト５０４、および押ボタンスイッチ１２６が押下された場合に選択対象項目として次に表示されるミニゲームの種類を示すオブジェクト５０６が表示されてもよい。
【００３８】
上記の通り、１つの表示ユニット１６０によりそれぞれの押ボタンスイッチの機能を示すオブジェクトを含む１つの画像を表示することで、押ボタンスイッチごとに表示ユニットを用意する場合のように、それぞれの表示ユニットを同期させる必要がなくなる。また、操作ユニット１００が、複数の表示ユニットを備える場合に比べて、コストを削減できる。
【００３９】
図８は、操作ユニット１００の分解斜視図を示す。操作ユニット１００は、表示ユニット１６０、回転機構１４０、ブラケット１０２、ばね１０４、絶縁シート１０６、基板１５０、ゴムシート１７０、押ボタンスイッチ１１０、押ボタンスイッチセット１２０、ブッシュ１３８、拡散ユニット１３０、分光壁１８０、拡散ユニットカバー１３６、および操作ユニットカバー１０８を備える。
【００４０】
表示ユニット１６０は、液晶ディスプレイ（ＬＣＤ）１６４、ＬＣＤカバー１６２、およびＬＣＤケース１６６を有する。ＬＣＤ１６４は、ＬＣＤケース１６６内に収容され、透明なＬＣＤカバー１６２で覆われている。
【００４１】
回転機構１４０は、モータ１４４、およびギア１４２を有する。ギア１４２は、モータ１４４によって回転される。拡散ユニット１３０は、拡散板１３２および拡散回転体１３４を有する。拡散ユニット１３０は、回転機構１４０によって回転される。
【００４２】
図９は、操作ユニット１００の一部分を断面で示した斜視図である。操作ユニット１００は、内部に表示ユニット１６０を備える。
【００４３】
表示ユニット１６０は、押ボタンスイッチ１１０、押ボタンスイッチ１２２、押ボタンスイッチ１２４および押ボタンスイッチ１２６の下方に配置されている。押ボタンスイッチ１１０、押ボタンスイッチ１２２、押ボタンスイッチ１２４および押ボタンスイッチ１２６は、それぞれの押下面から表示ユニット１６０が表示している画像の一部を目視可能に透過する。表示ユニット１６０は、押ボタンスイッチ１１０、押ボタンスイッチ１２２、押ボタンスイッチ１２４および押ボタンスイッチ１２６のそれぞれの機能に対応するそれぞれの文字、図形などのオブジェクトを、押ボタンスイッチ１１０、押ボタンスイッチ１２２、押ボタンスイッチ１２４および押ボタンスイッチ１２６のそれぞれの位置に対応する領域に含む操作画像を表示する。
【００４４】
押ボタンスイッチ１１０、押ボタンスイッチ１２２、押ボタンスイッチ１２４および押ボタンスイッチ１２６は、表示ユニット１６０の表示領域のうちそれぞれの機能に対応するオブジェクトの表示領域の上方に設けられ、それぞれの機能に対応するオブジェクトを押下面から目視可能に透過する。
【００４５】
押ボタンスイッチ１１０、押ボタンスイッチ１２２、押ボタンスイッチ１２４および押ボタンスイッチ１２６は、それぞれソリッドイマージョンレンズの加工が施されており、表示ユニット１６０に表示されている画像の一部の画像が拡大されて押下面から透過する。これにより、押下面から見える画像の奥行き感を解消できる。
【００４６】
拡散ユニット１３０は、貫通孔を有する。すなわち、拡散板１３２および拡散回転体１３４は、それぞれ対向する位置に貫通孔を有する。押ボタンスイッチ１１０は、拡散ユニット１３０の貫通孔の内部に配置される。拡散ユニットカバー１３６は、ハーフミラーにより構成されており、拡散ユニット１３０の上方を覆う。拡散板１３２は、基板１５０に設けられたＬＥＤから入射された光を拡散して、拡散回転体１３４および拡散ユニットカバー１３６を介して、押ボタンスイッチ１１０の周囲から光を出射する。ＬＥＤは、発光素子の一例である。拡散ユニットカバー１３６は、ハーフミラーにより構成されているので、ＬＥＤが光を照射していない場合、拡散ユニットカバー１３６を介して操作ユニット１００の内部の基板１５０等を目視できない。これにより、装飾性を向上させることができる。
【００４７】
拡散回転体１３４は、側面においてギア１４２と接触しており、ギア１４２がモータ１４４により回転されたことに対応して、拡散ユニット１３０の貫通孔を通る回転軸を中心として回転する。拡散板１３２は、拡散回転体１３４と一体的に構成されているので、拡散回転体１３４の回転に応じて、当該回転軸を中心に回転する。このように、拡散板１３２が回転するので、たとえ基板１５０が備える発光素子が少なくても、装飾効果を向上させることができる。
【００４８】
また、押ボタンスイッチ１２２、押ボタンスイッチ１２４および押ボタンスイッチ１２６の周囲には、透明または半透明の材料から構成された電飾部１２３、１２５および１２７が配置されている。基板１５０は、電飾部１２３、１２５および１２７に対向する位置に複数のＬＥＤを有する。複数のＬＥＤは、電飾部１２３、１２５および１２７を介して押ボタンスイッチ１２２、押ボタンスイッチ１２４および押ボタンスイッチ１２６の周囲から光を出射する。これにより、押ボタンスイッチ１２２、押ボタンスイッチ１２４および押ボタンスイッチ１２６の周囲を光により装飾できる。なお、電飾部１２３、１２５および１２７は、操作ユニットカバー１０８と一体的に構成してもよい。
【００４９】
操作ユニット１００は、押ボタンスイッチ１１０、押ボタンスイッチ１２２、押ボタンスイッチ１２４および押ボタンスイッチ１２６と、基板１５０との間に、弾性シートの一例であるゴムシート１７０を備える。押ボタンスイッチ１１０、押ボタンスイッチ１２２、押ボタンスイッチ１２４および押ボタンスイッチ１２６は、ゴムシート１７０上に配置されている。
【００５０】
図１０は、押ボタンスイッチ１１０、押ボタンスイッチ１２２、押ボタンスイッチ１２４および押ボタンスイッチ１２６の外観斜視図を示す。押ボタンスイッチ１１０、押ボタンスイッチ１２２、押ボタンスイッチ１２４および押ボタンスイッチ１２６は、ゴムシート１７０上に支持される複数の脚部１１０ａ，１２２ａ，１２４ａ，および１２６ａを有する。
【００５１】
図１１は、ゴムシート１７０の外観斜視図を示す。ゴムシート１７０は、押ボタンスイッチ１１０、押ボタンスイッチ１２２、押ボタンスイッチ１２４および押ボタンスイッチ１２６のそれぞれの押下面に対向する位置に、貫通孔１７２，１７４，１７６，および１７８を有する。ゴムシート１７０は、貫通孔１７２，１７４，１７６，および１７８の周囲の、複数の脚部１１０ａ，１２２ａ，１２４ａ，および１２６ａに対向する位置に複数の突起部１７３，１７５，１７７，１７９を有する。
【００５２】
複数の突起部１７３，１７５，１７７，１７９は、可動接点として機能し、押ボタンスイッチ１１０、押ボタンスイッチ１２２、押ボタンスイッチ１２４および押ボタンスイッチ１２６が押下された場合に、複数の脚部１１０ａ，１２２ａ，１２４ａ，および１２６ａにより押下され、基板１５０側に押し込まれる。複数の突起部１７３，１７５，１７７，１７９は、弾性を有し、押ボタンスイッチ１１０、押ボタンスイッチ１２２、押ボタンスイッチ１２４および押ボタンスイッチ１２６が押下されなくなったことにより、押し込まれる前の位置に戻ることができる。
【００５３】
複数の突起部１７３，１７５，１７７，１７９の基板１５０側の面には、カーボン層または金属層などの導電層が形成されている。押ボタンスイッチ１１０、押ボタンスイッチ１２２、押ボタンスイッチ１２４および押ボタンスイッチ１２６が押下された場合に、複数の突起部１７３，１７５，１７７，１７９の導電層が、基板１５０上の固定接点を構成する対向電極を短絡させる。
【００５４】
図１２は、基板１５０の外観斜視図を示す。基板１５０は、押ボタンスイッチ１１０、押ボタンスイッチ１２２、押ボタンスイッチ１２４および押ボタンスイッチ１２６のそれぞれの押下面に対向する位置に、貫通孔１５２，１５４，１５６および１５８を有する。基板１５０は、貫通孔１５２，１５４，１５６および１５８の外周に沿って間隔を空けて配置された複数のＬＥＤ２００，２０２，２０４および２０６を有する。複数のＬＥＤ２００は、拡散ユニット１３０を介して押ボタンスイッチ１１０の周囲から光を出射する。複数のＬＥＤ２０２は、電飾部１２３を介して押ボタンスイッチ１２２の周囲から光を出射する。複数のＬＥＤ２０４は、電飾部１２５を介して押ボタンスイッチ１２４の周囲から光を出射する。複数のＬＥＤ２０６は、電飾部１２７を介して押ボタンスイッチ１２６の周囲から光を出射する。
【００５５】
基板１５０は、複数のＬＥＤ２００，２０２，２０４および２０６の間の、ゴムシート１７０が有する複数の突起部１７３，１７５，１７７，１７９に対向する位置に、固定接点である対向電極２１０，２１２，２１４，および２１６を有する。対向電極２１０，２１２，２１４，および２１６が、複数の突起部１７３，１７５，１７７，１７９が有する導電層と接触して短絡することにより、押ボタンスイッチ１１０、押ボタンスイッチ１２２、押ボタンスイッチ１２４および押ボタンスイッチ１２６が押下されたことが検知される。
【００５６】
図１３は、分光壁１８０の外観斜視図である。分光壁１８０は、押ボタンスイッチ１２２、押ボタンスイッチ１２４および押ボタンスイッチ１２６を画定する壁部１８２を有し、壁部１８２により、押ボタンスイッチ１２２、押ボタンスイッチ１２４および押ボタンスイッチ１２６のそれぞれに対応するＬＥＤ２０２，２０４および２０６によって発光された光が、対応しない他の押ボタンスイッチの周囲から出射することを防止する。分光壁１８０が、押ボタンスイッチ１２２、押ボタンスイッチ１２４および押ボタンスイッチ１２６の周囲を囲むことで、光を出射するＬＥＤに対応する押ボタンスイッチの周囲のみを照らすことができる。これにより、装飾性を向上させることができる。
【００５７】
図１４は、拡散回転体１３４の外観斜視図である。図１５は、ギア１４２の外観斜視図である。拡散回転体１３４は、リング状の円盤体であり、外周に複数の歯１３４ａを有する。ギア１４２は、外周に、拡散回転体１３４の複数の歯１３４ａと噛み合う複数の歯１４２ａを有する。ギア１４２がモータ１４４により回転することに対応して、拡散回転体１３４の複数の歯１３４ａが、ギア１４２の複数の歯１４２ａと噛み合い、拡散回転体１３４が、貫通孔１３４ｂの中点を通る回転軸を中心に回転する。
【００５８】
図１６は、操作ユニット１００の操作面の正面図を示す。図１７は、図１６に示すＡ−Ａ断面図を示す。
【００５９】
表示ユニット１６０は、ブラケット１０２の裏面上に配置される。ブラケット１０２は、押ボタンスイッチ１１０、押ボタンスイッチ１２２、押ボタンスイッチ１２４および押ボタンスイッチ１２６の押下面に対向する位置に貫通孔を有する。ブラケット１０２の裏面には、モータ１４４がさらに配置される。ブラケット１０２は、モータ１４４の駆動軸に対応する位置に他の貫通孔を有する。
【００６０】
ブラケット１０２の表面上の表示ユニット１６０に対向する位置に、絶縁シート１０６が配置される。絶縁シート１０６上には、基板１５０が配置される。基板１５０上には、ゴムシート１７０が配置される。絶縁シート１０６、基板１５０、およびゴムシート１７０は、押ボタンスイッチ１１０、押ボタンスイッチ１２２、押ボタンスイッチ１２４および押ボタンスイッチ１２６の押下面に対向する位置に貫通孔を有する。そして、押ボタンスイッチ１１０、押ボタンスイッチ１２２、押ボタンスイッチ１２４および押ボタンスイッチ１２６は、それぞれの押下面から、表示ユニット１６０に表示されている画像に含まれるそれぞれの機能に対応するオブジェクトを透過する。
【００６１】
押ボタンスイッチ１１０、押ボタンスイッチ１２２、押ボタンスイッチ１２４および押ボタンスイッチ１２６は、それぞれの脚部を介してゴムシート１７０上に支持されている。また、操作ユニット１００は、ブラケット１０２、絶縁シート１０６、基板１５０、およびゴムシート１７０の押ボタンスイッチ１１０の押下面に対向する位置に形成された貫通孔の内側に、ばね１０４をさらに有する。押ボタンスイッチ１１０は、ばね１０４によっても支持されている。押ボタンスイッチ１１０は、押ボタンスイッチ１２２、押ボタンスイッチ１２４および押ボタンスイッチ１２６よりも大型である。また、押ボタンスイッチ１１０は、リールの回転を指示するための押ボタンスイッチとしても機能するので、押ボタンスイッチ１２２、押ボタンスイッチ１２４および押ボタンスイッチ１２６よりも使用頻度が高い。そのため、ゴムシート１７０による弾性力のみでは、押ボタンスイッチ１１０が押下された後、元の位置に戻らない可能性がある。そこで、ばね１０４を設けることにより、ゴムシート１７０による弾性力にばね１０４による弾性力が加えられる。これにより、押ボタンスイッチ１１０が押下された後、元の位置に確実に戻すことができる。
【００６２】
図１８は、図１６に示すＢ−Ｂ断面図を示す。押ボタンスイッチ１２２、押ボタンスイッチ１２４および押ボタンスイッチ１２６は、分光壁１８０の壁部１８２によってそれぞれ画定されたそれぞれ個別の空間に配置されている。よって、１つの押ボタンスイッチに対応するＬＥＤが発光した場合に、そのＬＥＤによる光が別の押ボタンスイッチの空間に入射することを防止できる。また、壁部１８２によって反射された光は、それぞれの空間の上部に配置された電飾部１２３，１２５，および１２７を介して外部に出射される。これにより、対応する押ボタンスイッチの周囲が光によって照らされる。
【００６３】
図１９は、図１６に示すＣ−Ｃ断面図を示す。押ボタンスイッチ１２２、押ボタンスイッチ１２４および押ボタンスイッチ１２６は、それぞれの脚部によって、ゴムシート１７０上の可動接点である突起部１７５，１７７，および１７９に支持されている。基板１５０は、突起部１７５，１７７，および１７９に対向する位置に固定接点である対向電極２１２，２１４，２１６を有する。押ボタンスイッチ１２２、押ボタンスイッチ１２４および押ボタンスイッチ１２６が押下された場合、突起部１７５，１７７，および１７９が基板１５０側に押し込まれ、突起部１７５，１７７，および１７９と対向電極２１２，２１４，２１６とが接触する。これにより、対向電極２１２，２１４，２１６が短絡して、押ボタンスイッチ１２２、押ボタンスイッチ１２４および押ボタンスイッチ１２６が押下されたことを検知できる。
【００６４】
なお、本実施形態では、昇順切替指示受付部４２２、降順切替指示受付部４２４、および設定指示受付部４２６は、それぞれ押ボタンスイッチで構成する例について説明した。しかし、表示ユニット１６０をタッチパネルディスプレイにより構成し、表示ユニット１６０を、昇順切替指示受付部４２２、降順切替指示受付部４２４、および設定指示受付部４２６のうち少なくとも１つとして機能させてもよい。これにより、表示ユニット１６０の表示領域に占める操作ボタンとして機能させる表示領域の割合を小さくできる。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６７】
１０  スロットマシン
１２  本体
１４  表示部
１００  操作ユニット
１０２  ブラケット
１０６  絶縁シート
１０８  操作ユニットカバー
１１０，１２２，１２４，１２６  押ボタンスイッチ
１２３，１２５，１２７  電飾部
１３０  拡散ユニット
１３２  拡散板
１３４  拡散回転体
１３６  拡散ユニットカバー
１３８  ブッシュ
１４０  回転機構
１４２  ギア
１４４  モータ
１５０  基板
１６０  表示ユニット
１６２  ＬＣＤカバー
１６６  ＬＣＤケース
１７０  ゴムシート
１７３，１７５，１７７，１７９  突起部
１８０  分光壁
４００  表示制御部
４０２  選択対象項目提示部
４０４  昇順オブジェクト表示部
４０６  降順オブジェクト表示部
４０８  画像保持部
４２０  切替指示受付部
４２２  昇順切替指示受付部
４２４  降順切替指示受付部
４２６  設定指示受付部
【図１】
2014103989.tif 000003
【図２】
2014103989.tif 000004
【図３】
2014103989.tif 000005
【図４】
2014103989.tif 000006
【図５】
2014103989.tif 000007
【図６】
2014103989.tif 000008
【図７】
2014103989.tif 000009
【図８】
2014103989.tif 000010
【図９】
2014103989.tif 000011
【図１０】
2014103989.tif 000012
【図１１】
2014103989.tif 000013
【図１２】
2014103989.tif 000014
【図１３】
2014103989.tif 000015
【図１４】
2014103989.tif 000016
【図１５】
2014103989.tif 000017
【図１６】
2014103989.tif 000018
【図１７】
2014103989.tif 000019
【図１８】
2014103989.tif 000020
【図１９】
2014103989.tif 000021